(57)【要約】【課題】印刷データの作成に際し、レイアウト情報を踏まえて写真原稿データに変換処理を行い、かつ、変換後の写真原稿データを自動的に差し替えできる印刷データ作成システムを提供する。【解決手段】印刷物のレイアウトにより得られるレイアウトデータＬＤに含まれる写真原稿データＰＴ１の写真レイアウト情報ＬＩ１をレシピファイルＲＦに合成し、これをもとに写真原稿データＰＴ１の画像変換処理を行う。さらに、ＣＭＹＫ変換処理後の写真原稿データＰＴ２を関連づけた写真レイアウト情報ＬＩ２を作成し、これを写真レイアウト情報ＬＩ１と差し替えたレイアウトデータＬＤを印刷データとする。これにより、写真がレイアウトされた状態に適した画像補正処理と、写真の被写体ごとに必要な個別の画像補正処理がなされた印刷物を提供でき、かつ処理の効率化が行える。【選択図】　　　　図８
2004062502.tif 000002
【特許請求の範囲】
【請求項１】
印刷物のレイアウトを定める印刷データを作成する装置であって、
ＲＧＢ表色系により表されるデジタルデータである第１写真原稿データが表現する写真の印刷物におけるレイアウトを行い、その結果を前記第１写真原稿データと関連づけたレイアウト情報として保持するレイアウト作成手段と、
前記第１写真原稿データをＣＭＹＫ表色系により表される第２写真原稿データへと変換する色空間変換処理を行う色空間変換手段、
および、
前記第２写真原稿データの補正処理を行う補正手段、
を含む画像変換手段と、
前記画像変換手段において実行されるべき処理内容を記述する設定ファイルに前記レイアウト情報を合成する、レイアウト情報合成手段と、
を備えることを特徴とする印刷データ作成装置。
【請求項２】
請求項１に記載の印刷データ作成装置であって、
前記レイアウト情報における前記第１写真原稿データとの関連づけを、前記第２写真原稿データとの関連づけに変更する差替処理を行う差替手段、
をさらに備え、
前記印刷データが、前記差替処理が行われた後のレイアウト情報を含むことを特徴とする印刷データ作成装置。
【請求項３】
請求項１または請求項２に記載の印刷データ作成装置であって、
前記第１写真原稿データは、デジタルカメラによって取得されたデータに基づくことを特徴とする印刷データ作成装置。
【請求項４】
請求項３に記載の印刷データ作成装置であって、
前記第１写真原稿データは、デジタルカメラによって取得された後、デジタルカメラの機種に依存しない基準表色系により表されるデータに変換された後に与えられていることを特徴とする印刷データ作成装置。
【請求項５】
印刷物のレイアウトを定める印刷データを作成するシステムであって、
ａ）印刷物にレイアウトする写真の素材となる画像データを取得するデジタルカメラと、
ｂ）前記画像データを、デジタルカメラの機種に依存しない基準表色系により表されるデータに変換する色空間変換手段を備え、前記色空間変換手段により前記画像データからＲＧＢ表色系により表される第１原稿写真データを作成する写真データ作成装置と、
ｃ）印刷物のレイアウトを定める印刷データを作成する印刷データ作成装置と、
を備える印刷データ作成システムであって、
前記印刷データ作成装置が、
ｃ−１）前記第１写真原稿データが表現する写真の、印刷物におけるレイアウトを行い、その結果を前記第１写真原稿データと関連づけたレイアウト情報として保持するレイアウト作成手段と、
ｃ−２）前記第１写真原稿データをＣＭＹＫ表色系により表される第２写真原稿データへと変換する色空間変換処理を行う色空間変換手段、
および、
前記第２写真原稿データの補正処理を行う補正手段、
を含む画像変換手段と、
ｃ−３）前記画像変換手段において実行されるべき処理内容を記述する設定ファイルに前記レイアウト情報を合成する、レイアウト情報合成手段と、
ｃ−４）前記レイアウト情報における前記第１写真原稿データとの関連づけを、前記第２写真原稿データとの関連づけに変更する差替処理を行う差替手段と、を備え、
前記印刷データが、前記差替処理が行われたレイアウト情報を含むことを特徴とする印刷データ作成システム。
【請求項６】
印刷物のレイアウトを定める印刷データを作成する方法であって、
印刷物にレイアウトする写真の素材としてデジタルカメラにて取得された画像データを、デジタルカメラの機種に依存しない基準ＲＧＢ表色系により表されるデータに変換し、第１写真原稿データを得る色空間変換工程と、
前記第１写真原稿データが表現する写真の、印刷物におけるレイアウトを行い、その結果を前記第１写真原稿データと関連づけたレイアウト情報として保持するレイアウト作成工程と、
前記第１写真原稿データをＣＭＹＫ表色系により表される第２写真原稿データへと変換する色空間変換処理を行う色空間変換工程、
および、
前記第２写真原稿データの補正処理を行う補正工程、
を含む画像変換工程と、
前記画像変換工程において実行されるべき処理内容を記述する設定ファイルに前記レイアウト情報を合成する、レイアウト情報合成工程と、
前記レイアウト情報における前記第１写真原稿データとの関連づけを、前記第２写真原稿データとの関連づけに変更する差替処理を行う差替工程と、
を備え、
前記印刷データが、前記差替処理が行われたレイアウト情報を含むことを特徴とする印刷データ作成方法。
【請求項７】
コンピュータにおいて実行されることにより、請求項１ないし請求項４のいずれかの印刷データ作成装置として機能することを特徴とするプログラム。
【請求項８】
コンピュータにおいて実行されることにより、請求項１ないし請求項４のいずれかの印刷データ作成装置におけるレイアウト情報合成手段として機能することを特徴とするプログラム。
【請求項９】
コンピュータにおいて実行されることにより、請求項１ないし請求項４のいずれかの印刷データ作成装置における画像変換手段として機能することを特徴とするプログラム。
【請求項１０】
コンピュータにおいて実行されることにより、請求項２ないし請求項４のいずれかの印刷データ作成装置における差替手段として機能することを特徴とするプログラム。
【発明の詳細な説明】
【０００１】
【発明の属する技術分野】
本発明は、商業印刷用の印刷システムにおける、デジタル写真データの変換処理技術に関する。
【０００２】
【従来の技術】
デジタルカメラの性能向上に伴い、従来の銀塩カメラにて撮影した写真と遜色のない画像を得ることができるようになってきている。これに伴い、銀塩カメラにて撮影した写真（アナログ写真）に代わり、デジタルカメラで撮影して得られた写真データを、印刷用写真原稿として使用する（入稿する）ことが日常化しつつある。これに伴い、印刷データを制作するフローも従来とは異なってきている。
【０００３】
例えば、アナログ写真を用いて印刷物を作成する場合、写真に関しては図１１（ａ）に示すような処理フローにより行われる。まず、被写体を銀塩カメラにて撮影し（ステップＳ１０１）、フィルムを現像する（ステップＳ１０２）ことで写真原稿が得られる（ステップＳ１０３）。次に、得られた写真原稿について、作成しようとする印刷物におけるおよそのレイアウト（配置、大きさ、向きなど）を定めるラフレイアウト（ステップＳ１０４）を行った後、ＣＭＹＫ表色系に従って色分解を行うスキャナ分解（ステップＳ１０５）がなされる。スキャナ分解の前にラフレイアウトを行うのは、最良な品質の印刷物を得るためには、最終的にレイアウトされた状態を踏まえたスキャナ分解を行う必要があるからである。そして、レイアウトソフトウェアによって、スキャナにて取り込まれた写真データと文字・線画データとがレイアウトされる（ステップＳ１０６）。あるいは、伝統的な製版工程の場合のように、写真原稿のスキャナ分解により得られた網ネガと、別に処理された文字や線画原稿の線画ネガを組み合わせる集版工程においてレイアウトが完成する場合もある。
【０００４】
これに対し、デジタルカメラで得られる写真データを用いた場合の処理フローは、例えば図１１（ｂ）のようになる。まず被写体をデジタルカメラにて撮影（ステップＳ１１１）した後、画像処理ソフトウェアにて、例えばトリミング等の画像処理を行う（ステップＳ１１２）。なお、デジタルカメラで撮影して得られる写真データは一般にＲＧＢ表色系に基づくデータであるので、画像処理もＲＧＢ表色系に基づいて行われる。画像処理を施すことで、デジタルデータとしての写真原稿データが完成する（ステップＳ１１３）。次に、レイアウトソフトウェアにおいて、この写真原稿データを取り込んで、文字・線画原稿データをも含めた印刷物全体についてのラフレイアウトが行われる（ステップＳ１１４）。そして、印刷物についてのおよそのレイアウトが確定した時点で、写真原稿データをＣＭＹＫ表色系を有するデータに変換するＣＭＹＫ変換処理を画像処理ソフトウェア等で行い（ステップＳ１１５）、これをレイアウトデータと関連づける（差し替える）ことでレイアウトが完成する（ステップＳ１１６）。
【０００５】
すなわち、デジタルカメラで撮影した写真データを用いる場合、現像や集版などの処理が不要な一方、レイアウトに至るまでデジタルデータとしてソフトウェア上で処理が可能であり、工程が著しく短縮されるという利点がある。
【０００６】
【発明が解決しようとする課題】
しかしながら、デジタルデータとしての写真原稿データを利用する場合であっても、いったんラフレイアウトを定め、写真原稿データが印刷物上で占めるサイズ等を確定した後でないと、写真原稿データについてＣＭＹＫ変換を実行するすることができない点は、アナログ写真の場合と同様である。また、１つの印刷データにおいて多数の写真原稿データがレイアウトされる場合、それぞれに異なる被写体の印刷と表現とレイアウト内容に応じて個別にＣＭＹＫ変換を行い、さらに写真原稿データを再配置する必要があり、処理フローの効率化に対する阻害要因となっている。
【０００７】
本発明は、上記課題に鑑みてなされたものであり、写真原稿データに対する画像処理の設定ファイルであるレシピファイルにレイアウト情報を付加して画像処理装置へと受渡し、このレイアウト情報を踏まえて画像処理およびＣＭＹＫ変換を行い、かつ、ＣＭＹＫ変換後の写真原稿データを自動的に差し替えることができる印刷データ作成システム、およびそのプログラムを提供することを目的とする。
【０００８】
【課題を解決するための手段】
上記課題を解決するため、請求項１の発明は、印刷物のレイアウトを定める印刷データを作成する装置であって、ＲＧＢ表色系により表されるデジタルデータである第１写真原稿データが表現する写真の印刷物におけるレイアウトを行い、その結果を前記第１写真原稿データと関連づけたレイアウト情報として保持するレイアウト作成手段と、前記第１写真原稿データをＣＭＹＫ表色系により表される第２写真原稿データへと変換する色空間変換処理を行う色空間変換手段、および、前記第２写真原稿データの補正処理を行う補正手段、を含む画像変換手段と、前記画像変換手段において実行されるべき処理内容を記述する設定ファイルに前記レイアウト情報を合成する、レイアウト情報合成手段と、を備えることを特徴とする。
【０００９】
また、請求項２の発明は、請求項１に記載の印刷データ作成装置であって、前記レイアウト情報における前記第１写真原稿データとの関連づけを、前記第２写真原稿データとの関連づけに変更する差替処理を行う差替手段、をさらに備え、前記印刷データが、前記差替処理が行われた後のレイアウト情報を含むことを特徴とする。
【００１０】
また、請求項３の発明は、請求項１または請求項２に記載の印刷データ作成装置であって、前記第１写真原稿データは、デジタルカメラによって取得されたデータに基づくことを特徴とする。
【００１１】
また、請求項４の発明は、請求項３に記載の印刷データ作成装置であって、前記第１写真原稿データは、デジタルカメラによって取得された後、デジタルカメラの機種に依存しない基準表色系により表されるデータに変換された後に与えられていることを特徴とする。
【００１２】
また、請求項５の発明は、印刷物のレイアウトを定める印刷データを作成するシステムであって、ａ）印刷物にレイアウトする写真の素材となる画像データを取得するデジタルカメラと、ｂ）前記画像データを、デジタルカメラの機種に依存しない基準表色系により表されるデータに変換する色空間変換手段を備え、前記色空間変換手段により前記画像データからＲＧＢ表色系により表される第１原稿写真データを作成する写真データ作成装置と、ｃ）印刷物のレイアウトを定める印刷データを作成する印刷データ作成装置と、を備える印刷データ作成システムであって、前記印刷データ作成装置が、ｃ−１）前記第１写真原稿データが表現する写真の、印刷物におけるレイアウトを行い、その結果を前記第１写真原稿データと関連づけたレイアウト情報として保持するレイアウト作成手段と、ｃ−２）前記第１写真原稿データをＣＭＹＫ表色系により表される第２写真原稿データへと変換する色空間変換処理を行う色空間変換手段、および、前記第２写真原稿データの補正処理を行う補正手段、を含む画像変換手段と、ｃ−３）前記画像変換手段において実行されるべき処理内容を記述する設定ファイルに前記レイアウト情報を合成する、レイアウト情報合成手段と、ｃ−４）前記レイアウト情報における前記第１写真原稿データとの関連づけを、前記第２写真原稿データとの関連づけに変更する差替処理を行う差替手段と、を備え、前記印刷データが、前記差替処理が行われたレイアウト情報を含むことを特徴とする。
【００１３】
また、請求項６の発明は、印刷物のレイアウトを定める印刷データを作成する方法であって、印刷物にレイアウトする写真の素材としてデジタルカメラにて取得された画像データを、デジタルカメラの機種に依存しない基準ＲＧＢ表色系により表されるデータに変換し、第１写真原稿データを得る色空間変換工程と、前記第１写真原稿データが表現する写真の、印刷物におけるレイアウトを行い、その結果を前記第１写真原稿データと関連づけたレイアウト情報として保持するレイアウト作成工程と、前記第１写真原稿データをＣＭＹＫ表色系により表される第２写真原稿データへと変換する色空間変換処理を行う色空間変換工程、および、前記第２写真原稿データの補正処理を行う補正工程、を含む画像変換工程と、前記画像変換工程において実行されるべき処理内容を記述する設定ファイルに前記レイアウト情報を合成する、レイアウト情報合成工程と、前記レイアウト情報における前記第１写真原稿データとの関連づけを、前記第２写真原稿データとの関連づけに変更する差替処理を行う差替工程と、を備え、前記印刷データが、前記差替処理が行われたレイアウト情報を含むことを特徴とする。
【００１４】
また、請求項７の発明は、コンピュータにおいて実行されることにより、請求項１ないし請求項４のいずれかの印刷データ作成装置として機能することを特徴とする。
【００１５】
また、請求項８の発明は、コンピュータにおいて実行されることにより、請求項１ないし請求項４のいずれかの印刷データ作成装置におけるレイアウト情報合成手段として機能することを特徴とする。
【００１６】
また、請求項９の発明は、コンピュータにおいて実行されることにより、請求項１ないし請求項４のいずれかの印刷データ作成装置における画像変換手段として機能することを特徴とする。
【００１７】
また、請求項１０の発明は、コンピュータにおいて実行されることにより、請求項２ないし請求項４のいずれかの印刷データ作成装置における差替手段として機能することを特徴とする。
【００１８】
【発明の実施の形態】
＜システム構成＞
図１は、本発明の実施の形態に係る印刷データ作成システム１の構成を示す図である。印刷データ作成システム１は、デジタルカメラ２にて取得された写真データから、印刷に適した写真原稿データを作成する写真原稿作成装置３と、写真原稿データや文書データ、線画データ等を用いて、作成しようとする印刷物のレイアウトを行って印刷データを得るための印刷データ作成装置４とを主として備える。印刷データ作成装置４にて作成された印刷データは、例えばラスターイメージプロセッサ（ＲＩＰ）等の出力装置５に供されることとなる。なお、写真データはイメージスキャナ６等の入力装置によって取得する態様でもよい。
【００１９】
デジタルカメラ２には、印刷物として要求される画質を満足する画像を取得できるだけの解像度、好ましくは６００万画素以上の解像度を備えたものが用いられる。デジタルカメラ２によって取得される写真データは、ＲＧＢ表色系にて表現されるデータである。デジタルカメラ２と写真原稿作成装置３との間をＵＳＢケーブルなどの接続ケーブルＣＢ１により接続することにより、あるいは、デジタルカメラ２において記録可能な可搬性の記録媒体（図示せず）に当該写真データを記録し、これを写真原稿作成装置３において読み取ることにより、取得された写真データは写真原稿作成装置３へと受け渡されることとなる。
【００２０】
写真原稿作成装置３は、汎用のパーソナルコンピュータによって実現されるものである。すなわち、写真原稿作成装置３には、ＣＰＵ３１ａ、ＲＯＭ３１ｂ、およびＲＡＭ３１ｃから構成され、後述する各機能を実現する制御部３１、ハードディスクなどにより構成され、デジタルカメラから受け取った写真データなどを保存するための記憶部３２、オペレータが各種の指示を入力するためのマウスやキーボードなどの操作部３３、ディスプレイ等の表示部３４、種々の可搬性の記録媒体との間でデータのリード／ライトを行うためのＲ／Ｗ部３５、および他の装置等との間でデータの受け渡しを行うためのインターフェースとしての通信部３６が主として備わっている。
【００２１】
印刷データ作成装置４も、やはり、汎用のパーソナルコンピュータによって実現されるものであり、基本的には写真原稿作成装置３と同一の構成を有している。すなわち、印刷データ作成装置４にも、ＣＰＵ４１ａ、ＲＯＭ４１ｂ、およびＲＡＭ４１ｃから構成される後述する各機能を実現する制御部４１、記憶部４２、操作部４３、表示部４４、Ｒ／Ｗ部４５、および通信部４６が主として備わっている。印刷データ作成装置４においては、操作部４３を通じて指示される指示内容に基づいて、表示部４４に作業状態を表示させつつ印刷物のレイアウトを行うことができる。
【００２２】
なお、写真原稿作成装置３と印刷データ作成装置４との間、および印刷データ作成装置４と出力装置５との間におけるデータの受け渡しは、それぞれ通信線ＣＢ２、ＣＢ３を介して行われる態様であってもよいし、可搬性の記録媒体を介して行われる態様であってもよい。
【００２３】
図２は、写真原稿作成装置３の制御部３１において実現される機能を説明するための図である。制御部３１においては、記憶部３２に記憶されている所定のプログラム３２１が実行されることにより、ＣＰＵ３１ａ、ＲＯＭ３１ｂ、およびＲＡＭ３１ｃの作用によって、色空間調整部３１１が実現される。
【００２４】
色空間調整部３１１はデジタルカメラ２に固有の色空間に基づいて記述されている写真データを、表示デバイスに依存しない（デバイスインディペンデントな）色空間に基づいて記述された写真データに変換する色空間変換処理を行う。この変換を行うことにより、写真データが、印刷データ作成装置４や出力装置５等、他の表示デバイスに写真原稿データとして受け渡されたとしても、それぞれの表示デバイスにおいて同じ画像が再現されることになる。
【００２５】
写真原稿作成装置３は、さらに、所定のプログラムの実行により、画像の不要部分をトリミングするためのトリミング処理部３１２と、不要な画像内容を消去あるいは置換するレタッチ処理を行うためのレタッチ処理部３１３とを備える態様であってもよい。
【００２６】
これらの処理部をさらに備える場合、写真原稿作成装置３は、上述のような処理を経た後、色空間変換処理を行うこととなる。色変換処理を経ることで、得られる写真データは、写真原稿データとして印刷データ作成装置４に受け渡される。
【００２７】
図３は、印刷データ作成装置４の制御部４１において実現される機能を説明するための図である。制御部４１においては、記憶部４２に記憶されている所定のプログラム４２１〜４２４が実行されることにより、ＣＰＵ４１ａ、ＲＯＭ４１ｂ、およびＲＡＭ４１ｃの作用によって、レイアウト作成部５１と、処理内容生成部５２と、画像変換処理部５３と、画像差替処理部５４とが実現される。レイアウト作成部５１はいわゆるレイアウトソフトウェアであるプログラム４２１により、処理内容生成部５２はプログラム４２２により、画像変換処理部５３はいわゆる画像処理ソフトウェアであるプログラム４２３により、画像差替処理部５４はプログラム４２４により実現されるものとする。また、プログラム４２２およびプログラム４２４は、プログラム４２１に対するプラグインプログラムとして実行されるものとする。
【００２８】
レイアウト作成部５１は、印刷物の各要素（文字、写真、線画）に対応するオブジェクトについてのレイアウトを定めたレイアウトデータを作成するために備わる。画像変換処理部５３は、後述するレシピファイルＲＦの内容に従って、ＲＧＢ表色系にて提供される写真原稿データを印刷用のＣＭＹＫ表色系を有する写真原稿データに変換するＣＭＹＫ変換を実行し、さらに、印刷物上に再現しきれない、あるいは強調されない被写体の質感をより高めることを目的とする所定の画像補正処理を行うために備わる。処理内容生成部５２は、レイアウト作成部５１において当該写真原稿データに対し定められたレイアウト情報を、レシピファイルＲＦに合成するために備わる。レシピファイルＲＦにレイアウト情報が含まれることにより、画像変換処理部５３においては、実際に写真原稿データがレイアウトされる状態（サイズ、向きなど）を考慮した変換処理や画像補正処理が行われる。画像差替処理部５４は、レイアウトデータに含まれる、レイアウトに際し用いられたＲＧＢ表色系に基づく写真原稿データと関連づけられたレイアウト情報を、画像変換処理部５３にて得られたＣＭＹＫ変換後の写真原稿データと関連づけられたレイアウト情報に、差し替える処理を行うために備わる。
【００２９】
レイアウト作成部５１は、印刷物のレイアウトを定めるために、レイアウト情報保持部５１１と、座標処理部５１２と、変形処理部５１３と、線画処理部５１４と文書データ処理部５１５とを主として備える。印刷物のレイアウトは、記憶部４２に保存されているオブジェクトを操作部４３により選択し、さらにドラッグアンドドロップなどの操作がなされることにより、あるいは、操作部４３を用いて直接にデータを作成することにより、レイアウト作成部５１の各部が機能し、実行される。なお、レイアウト時には、写真データはＲＧＢ表色系のまま取り扱われる。
【００３０】
レイアウト情報保持部５１１は、次述する各部によって各オブジェクトをレイアウトすることで定められるレイアウト情報（座標、サイズ、回転など）を、常に最新の状態に保持し、変更がなされる度にこれを更新する。なお、写真原稿データのレイアウトに際しては、表示部４４における画面表示上のデータと、レイアウト情報とに対し変更が与えられるのみで、元々のオブジェクトのデータは記憶部４２に保持されたままである。すなわち、レイアウト情報には、もとの写真データファイルとの関連づけのためのファイル情報も含まれる。
【００３１】
座標処理部５１２は、操作部４３を通じた設定指示に基づいて、レイアウトの対象となるそれぞれのオブジェクトの座標を設定する。例えば、矩形の写真原稿データであれば、左上角を基準点として、座標処理部５１２はその座標位置を設定指示に従って定める。
【００３２】
変形処理部５１３は、操作部４３を通じた設定指示に基づいて、レイアウトの対象となるそれぞれのオブジェクトの変形処理を行う。変形処理部５１３は、印刷物上でオブジェクトが占める領域のサイズ（縦、横）を変更するためのサイズ処理部５１３Ｓとオブジェクトの向き（姿勢）を変更するための回転処理部５１３Ｒとを備えている。
【００３３】
線画処理部５１４は、線種や線幅の変更など、線画データに特有の種々の処理を行う。操作部４３を用いて直接に線画データを作成する際の処理も、線画処理部５１４が担う。
【００３４】
文書データ処理部５１５は、文字原稿の流し込みや、フォント、段落の設定・変更など、文書データに特有の種々の処理を担う。操作部４３を用いて直接に文書データを作成する際の処理も、文書データ処理部５１５が担う。
【００３５】
レイアウト作成部５１の各部において上述のような種々の処理を行うことで、各オブジェクトについてのレイアウト情報が定められると、所望する印刷物についてのレイアウトが定まることになる。すなわち、各オブジェクトについてのレイアウト情報が設定されたレイアウトデータが作成されることになる。作成されたレイアウトデータは、記憶部４２に保存される。さらに、レイアウト情報は処理内容生成部５２によってレシピファイルＲＦに合成され、画像変換処理に利用される。
【００３６】
ここで、レシピファイルＲＦについて説明する。レシピファイルＲＦとは、画像変換処理部５３において行うべき画像処理の処理内容をまとめた設定ファイルであり、画像変換処理部５３において作成され、記憶部４２に保存されている。
強調したい色成分や、色再現において重要視されるポイントは、被写体の種類ごとに異なるので、レシピファイルＲＦは、通常、被写体の種類に対応して、最適なパラメータ設定がなされた複数のファイルが用意される。図４は、レシピファイルＲＦのファイル構造を模式的に示す図である。図４（ａ）に示すように、レシピファイルＲＦは、ＩＣＣプロファイル６１と、特性設定パラメータ６２と、微調整パラメータ６３とを備えている。画像変換処理部５３においては、図４（ａ）において左側に記載されている内容からその内容が参照され、対応する処理がなされていく。
【００３７】
ＩＣＣプロファイル６１は、写真原稿データの色再現性を保つために設定される、各画像に共通に用いられる基準プロファイルである。
【００３８】
特性設定パラメータ６２は、被写体の種類等、画像の内容に応じて、写真原稿データの特性を定める種々の項目を設定するためのものである。すなわち、特性設定パラメータ６２の各項目を、被写体の種類に応じて設定することで、被写体に適したレシピファイルＲＦが作成されることになる。図５は、特性設定パラメータ６２の設定項目を一覧として示す設定項目テーブルＴＢＬ１を示す図である。特性設定パラメータ６２にこれらの設定項目について、階調レベル設定Ｐ１は、網点濃度の濃淡レンジの設定を行う項目である。トーンカーブ設定Ｐ２は、トーンカーブにより中間調の設定や半調の設定を行う項目である。カラーコレクション設定Ｐ３は、インキの色特性の理想からのずれを補正するための項目である。Ｋ版設定Ｐ４とは、ＣＭＹの各色の重なり部分をＫ版に置き換えるＵＣＲやＧＣＲなどの設定を行う項目である。グレーバランス設定Ｐ５とは、適正なグレーを表現するためのＣＭＹ各色のバランスを設定する項目である。シャープネス設定Ｐ６とは、ＵＳＭ（アンシャープマスキング）などにより、画像のシャープネスを強めるための項目である。解像度設定Ｐ７とは、ピクセル補間処理などで画像の解像度を変換するための項目である。
【００３９】
また、図６は、代表的な被写体の画像処理に際して要求される画像補正の内容を、一覧として示す補正内容テーブルＴＢＬ２を示す図である。補正内容テーブルＴＢＬ２において示された特徴に応じて、特性設定パラメータ６２の各項目が適宜設定されたレシピファイルＲＦが作成され、各被写体を含む画像の処理に際して利用されることになる。
【００４０】
また、微調整パラメータ６３は、そうした特性設定パラメータ６２の各項目についてさらに微調整を加えるために設定されるパラメータである。図７は、微調整パラメータ６３の代表的な処理メニューを示す微調整メニューテーブルＴＢＬ３を示す図である。
【００４１】
作成されたレシピファイルＲＦは、上述したように、処理内容生成部５２によってレイアウト情報と合成された後、画像変換処理部５３に受け渡されることになる。
【００４２】
処理内容生成部５２は、レシピファイル選択部５２１と、レシピファイル合成部５２２とを備える。
【００４３】
レシピファイル選択部５２１は、レイアウトされたそれぞれの写真原稿データごとに、その画像内容に適したレシピファイルＲＦを選択するためのものである。またレシピファイル合成部５２２は、選択されたレシピファイルＲＦに対し、レイアウト情報を合成するためのものである。オペレータが、操作部４３を通じてレシピファイル選択部５２１を機能させることにより、レイアウト対象となったそれぞれの写真原稿データに適したレシピファイルＲＦを選択すると、レシピファイル合成部５２２において、それぞれの写真原稿データのレイアウト情報が、レシピファイルに合成されることとなる。図４（ｂ）は、レイアウト情報６４が合成されたレシピファイルであるレシピファイルＲＦ１の構成を示している。レイアウト情報６４は、ＩＣＣプロファイル６１と特性設定パラメータ６２との間に位置するように合成される。これにより、画像変換処理部５３においては、ＩＣＣプロファイルに引き続き、レイアウト情報６４が参照されることになる。
【００４４】
合成後のレシピファイルＲＦは、記憶部に４２にいったん保存されるが、例えばレイアウトデータを記憶部４２に用意された所定のデータフォルダ（以下、これを「ホットフォルダ」と称する）に対しドラッグアンドドロップするなど、操作部４３を通じてオペレータから所定の実行指示が与えられると、処理対象となる写真原稿データともども記憶部４２から読み出されて画像変換処理部５３における処理に供されることとなる。
【００４５】
画像変換処理部５３は、上述したように、レシピファイルＲＦに従い、写真原稿データがレイアウトされた状態を考慮しつつ、ＣＭＹＫ変換処理と、種々の画像補正処理を行うためのものである。画像変換処理部５３は、そのために、実行指示検知部５３１と、レシピファイル解析部５３２と、色空間変換部５３３と、色調補正部５３４と、シャープネス補正部５３５と、解像度変換部５３６と、レシピファイル生成部５３７とを主として備える。
【００４６】
実行指示検知部５３１は、例えばホットフォルダへのレイアウトデータのドラッグアンドドロップなどの、オペレータからの画像変換処理の実行指示の有無を絶えず監視する。そして、実行指示を検知すると、対象となる写真原稿データと、対応するレシピファイルＲＦとを、記憶部４２から読み出す。
【００４７】
レシピファイル解析部５３２は、読み出されたレシピファイルＲＦの内容を解析する。色空間変換部５３３は、ＣＭＹＫ変換した写真原稿データを生成する。ＣＭＹＫ変換処理がなされた後、レシピファイルＲＦの特性設定パラメータ６２や微調整パラメータ６３の設定内容に応じて、次述する各部における処理が実行される。
【００４８】
色調補正部５３４は、レシピファイルＲＦの内容に応じて、濃淡レベルの補正やトーンカーブの補正を実行する。シャープネス補正部５３５は、レシピファイルＲＦの内容に応じて、ＵＳＭ補正を実行する。解像度変換部５３６は、レシピファイルＲＦの内容に応じて、画像の解像度を変換する。これらの各部における処理がなされた写真原稿データは、いったん記憶部４２に保存される。
【００４９】
レシピファイル生成部５３７は、上述のように特性設定パラメータ６２や微調整パラメータ６３を設定することによって、レシピファイルＲＦを生成する。また、別の生成手法として、実際に画像を表示し、変換処理を行うソフトウェアで表示した画像を操作することにより、レシピファイルＲＦを生成してもよい。
【００５０】
画像変換処理部５３における種々の処理を経たＣＭＹＫ表色系を有する写真原稿データは、画像差替処理部５４における差し替え処理に供される。
【００５１】
画像差替処理部５４は、変換処理検知部５４１と、レイアウト情報差替部５４２とを備える。変換処理検知部５４１は、画像変換処理部５３において画像変換処理がなされた写真原稿データが存在するか否かを監視する。変換処理検知部５４１が当該写真原稿データを検知すると、レイアウト情報差替部５４２が、写真原稿データについての関連づけをＣＭＹＫ変換後の写真原稿データとする新たな写真レイアウト情報を作成し、レイアウトデータの写真レイアウト情報をこれと差し替える。そして、出力装置５に対しては、差し替えがなされた後のレイアウトデータが、印刷データとして供されることになる。
【００５２】
＜印刷データ作成処理フロー＞
次に、具体例を通じて、印刷データ作成装置４において印刷データが作成される処理の流れを説明する。図８は、印刷データ作成装置４における印刷データ作成の流れを説明するための図である。
【００５３】
まずはじめに、作成すべき印刷物においてレイアウトの対象となる写真原稿データや文書データが用意され、レイアウト処理がレイアウト作成部５１の機能により実行される（ステップＳ１）。いま、レイアウトデータＬＤを、写真原稿データＰＴ１と文書データＤＤとをレイアウトすることにより作成するものとする。写真原稿データＰＴ１は、上述のように、写真原稿作成装置３において、色空間変換処理されたうえで記憶部４２へ保存されたものである。文書データＤＤは、例えばテキストファイル形式のデータとして、記憶部４２へ保存される。オペレータが表示部４４においてレイアウト状況を視認しつつ、操作部４３を操作してレイアウト処理を実行することで、写真原稿データＰＴ１や文書データＤＤのレイアウトが決定される。その際、レイアウトデータＬＤの構成要素である写真原稿データＰＴ１や文書データＤＤのレイアウト情報は、レイアウトの実行中には常に変更されうるが、レイアウト情報保持部５１１により最新の状態に保持され、レイアウトの決定にとともに確定される。
【００５４】
図８の場合において、写真原稿データＰＴ１についての確定したレイアウト情報が写真レイアウト情報ＬＩ１であるとする。写真レイアウト情報ＬＩ１は、写真原稿データＰＴ１が、座標（ｘ１、ｙ１）を基準座標として、原サイズに比して１５０％に拡大された状態でレイアウトされることを示している。
【００５５】
写真レイアウト情報ＬＩ１が定まると、次に、処理内容生成部５２における処理内容生成処理が実行される（ステップＳ２）。オペレータが、記憶部４２に記憶された複数のレシピファイルＲＦのなかから、レイアウトが確定した写真原稿データＰＴ１に対し行うべき画像処理内容を含むレシピファイルＲＦを選択し、写真原稿データＰＴ１とレシピファイルＲＦとを関連付けて記憶部４２に保存する。また、写真レイアウト情報ＬＩ１をレシピファイルに合成する処理を実行する。該合成されたレシピファイルＲＦは記憶部４２に保存される。
【００５６】
その後、オペレータが、レシピファイルＲＦと写真原稿データＰＴ１をホットフォルダにドラッグアンドドロップすると、画像変換処理部５３において、画像変換処理が実行される（ステップＳ３）。すなわち、レシピファイルＲＦの内容に従って、写真原稿データＰＴ１に対する色空間変換処理と、画像補正処理とが実行される。これにより、ＣＭＹＫ表色系を有し、かつ、レシピファイルＲＦに記述された内容の画像補正が施された写真原稿データＰＴ２が生成される。
【００５７】
図９および図１０は、この画像変換処理における画像補正処理の例としての、シャープネス処理を説明する図である。図９は、シャープネス処理におけるパラメータと画像の拡大率との関係を示す図であり、図１０は、シャープネス処理による色濃度プロファイルの変化を説明するための図である。シャープネス処理は、シャープネス補正部５３５の作用により実現する処理であり、画像の色濃度プロファイルが変化する箇所において、暗い部分をより暗く、明るい部分をより明るくなるよう補正することで、画像のシャープネスを高める処理である。図９（ａ）におけるゲイン値が、その際の濃度の加減量に相当する。また、図９（ｂ）の適用幅は、補正を反映させる幅、すなわちピクセルサイズに相当する。また、図９（ａ）のグレイネスは、シャープネス処理を実行する濃度変化のしきい値に相当する。
【００５８】
図１０（ａ）は、写真原稿データの拡大を行わない場合の濃度プロファイルＰＦ１を示す。この場合に、周囲の濃度ｃ２よりも小さい濃度ｃ１を有する箇所が、幅ｗ１にわたって存在するものとすると、この場合には、図９に従い、エッジｅ１〜ｅ４について、適用幅ｄ１においてゲインｇ１だけ濃度の補正が実行される。
【００５９】
一方、図１０（ｂ）は、濃度プロファイルＰＦ１に相当する画像を１５０％に拡大後の濃度プロファイルＰＦ２を示している。画像が拡大されることにより、濃度ｃ１を有する部分は、拡大前の幅ｗ１の１５０％にあたる幅ｗ２を有することになるが、その際に、点線にて示す濃度プロファイルＰＦ２１ａのように適用幅およびゲイン値を拡大前のままとすると、補正処理の効果が相対的に小さくなり、結果的に、十分なシャープネス補正が行われていないことになってしまう。よって、シャープネス補正を十分なものとするには、拡大率に応じて、すなわち、画像のサイズに応じて適用度合いを定める必要がある。上述の１５０％拡大の場合であれば、図９に基づき、適用幅ｄ２、ゲイン値ｇ２にてシャープネス補正することで、拡大前と同等の効果を得ることができるようになる。
【００６０】
ここでは、シャープネス補正のみを説明したが、色調補正等、画像変換処理部５３における画像補正処理においてはいずれも、レイアウトされる画像のサイズ（原寸に対する拡大率）によって適した補正を行うことで、より品質の高い印刷物を作成することができる。
【００６１】
画像変換処理が終了し、ＣＭＹＫ表色系を有する写真原稿データＰＴ２が得られると、画像差替処理部５４が、写真レイアウト情報ＬＩ１のファイル情報を、レイアウトに用いた写真原稿データＰＴ１からＣＭＹＫ変換後の写真原稿データＰＴ２へと書き換える。この書き換えに伴い新たな写真レイアウト情報ＬＩ２が作成される。これが画像差替処理である（ステップＳ４）。そして、この新たな写真レイアウト情報ＬＩ２を含むレイアウトデータＬＤが、印刷データとして保存される（ステップＳ５）こととなる。その際、サイズ等の情報は不変であるので、レイアウトの体裁を崩すことなく、後段の出力処理に印刷データを供することができる。
【００６２】
印刷データは、その後の出力処理に際し、出力装置５へと受け渡されることとなる（ステップＳ６）。
【００６３】
以上、説明したように、本発明においては、印刷物のレイアウトを行った後、処理内容生成部５２によってレイアウト情報をレシピファイルと合成したうえで、画像変換処理を実行するので、個々の写真原稿データにおいて、逐次マニュアルでサイズ等を設定することなく、写真がレイアウトされた状態に適した画像補正処理が実行されることになる。その際、画像変換処理部５３は、オペレータからの実行指示を検知し次第、自動的に画像変換処理を行うので、効率的な処理が可能となる。また、画像差替処理部５４において、画像変換処理により得られた印刷用の写真原稿データと元の写真原稿データとを、画像差替処理により自動的に差し替えるので、オペレータの作業負担を低減し、かつ、写真原稿データの取り違え等の印刷ミスを回避することができる。
【００６４】
＜変形例＞
上述の実施の形態においては、処理内容生成部５２および画像差替処理部５４は、レイアウト作成部５１の機能を実現するプログラム４２１のプラグインプログラムであるプログラム４２２および４２４によりその機能が実現する態様であったが、プログラム４２１により実現する態様であってもよい。
【００６５】
また、画像変換処理部は、印刷データ作成装置を実現するパーソナルコンピュータと異なるコンピュータにおいて独立した装置として実現され、両装置がネットワークにより接続される態様であってもよい。
【００６６】
写真原稿作成装置３には、写真原稿データを例えばＣＭＹＫ表色系などの他の色空間に変換する画像変換処理部３１４を備える態様であってもよい。この場合、画像変換処理部３１４は、印刷データ作成装置４において実現される画像変換処理を、シミュレートすることができるので、例えば、デジタルカメラ２において写真データを取得するカメラマンが印刷物において当該写真データがどのように再現されるのかを踏まえつつ、撮影を行うことが可能となる。また、カメラマンが、レシピファイルを作成し、これを写真原稿データと共に受け渡すことも可能となる。
【００６７】
【発明の効果】
以上、説明したように、請求項１ないし請求項８の発明によれば、設定ファイルにレイアウト情報を付加して画像変換手段へと受け渡すので、第１写真原稿データを印刷に適した第２写真原稿データに変換する画像変換処理においてマニュアルにてレイアウト情報を設定する必要がなくなり、処理を効率化しつつ、写真がレイアウトされた状態に適した画像補正を実行することが可能となる。
【００６８】
また、請求項１ないし請求項７、および請求項９の発明によれば、画像変換処理において、設定ファイルに合成されたレイアウト情報を読み取り、当該レイアウト情報に基づいて、写真がレイアウトされた状態に適した画像補正を実行することが可能となる。
【００６９】
また、請求項２、請求項５ないし請求項７、および請求項１０の発明によれば、レイアウト実行時のレイアウト情報を、画像変換処理後の写真原稿データと関連づけられたレイアウト情報と自動的に差し替えることができるので、オペレータの作業負担を軽減し、印刷データの作成処理が効率化できるとともに、写真原稿データの取り違え等のミスを回避することができる。
【００７０】
また、請求項３ないし請求項６の発明によれば、デジタルカメラで取得された写真データを印刷に適した写真原稿データとして利用することができる。
【００７１】
また、請求項４ないし請求項６の発明によれば、デジタルカメラで取得された写真データを、その色再現性を維持しつつ、印刷に適した写真原稿データとして利用することができる。
【図面の簡単な説明】
【図１】印刷データ作成システム１の構成を示す図である。
【図２】写真原稿作成装置３の制御部３１において実現される機能を説明するための図である。
【図３】印刷データ作成装置４の制御部４１において実現される機能を説明するための図である。
【図４】レシピファイルＲＦのファイル構造を模式的に示す図である。
【図５】特性設定パラメータ６２の設定項目を一覧として示す設定項目テーブルＴＢＬ１を示す図である。
【図６】代表的な被写体の画像処理に際して要求される画像補正の内容を、一覧として示す補正内容テーブルＴＢＬ２を示す図である。
【図７】微調整パラメータ６３の代表的な処理メニューを示すテーブルＴＢＬ３を示す図である。
【図８】印刷データ作成装置４における印刷データ作成の流れを説明するための図である。
【図９】シャープネス処理におけるパラメータと画像の拡大率との関係を示す図である。
【図１０】シャープネス処理による色濃度プロファイルの変化を説明するための図である。
【図１１】従来の印刷物のレイアウト処理の流れを説明する図である。
【符号の説明】
１　印刷データ作成システム
２　デジタルカメラ
３　写真原稿作成装置
４　印刷データ作成装置
ＬＤ　レイアウトデータ
ＲＦ、ＲＦ１　レシピファイル
ＴＢＬ１　設定項目テーブル
ＴＢＬ２　補正内容テーブル
ＴＢＬ３　微調整メニューテーブル
ｃ１、ｃ２　濃度
ｄ１、ｄ２　適用幅
ｅ１〜ｅ４　エッジ
ｇ１、ｇ２　ゲイン
ｗ１、ｗ２　（濃度ｃ１の領域の）幅
【図１】
2004062502.tif 000003
【図２】
2004062502.tif 000004
【図３】
2004062502.tif 000005
【図４】
2004062502.tif 000006
【図５】
2004062502.tif 000007
【図６】
2004062502.tif 000008
【図７】
2004062502.tif 000009
【図８】
2004062502.tif 000010
【図９】
2004062502.tif 000011
【図１０】
2004062502.tif 000012
【図１１】
2004062502.tif 000013